(57)【要約】      （修正有）【課題】ＬＥＤシーリングライトを提供する。【解決手段】本ＬＥＤシーリングライトは、固定ユニット１と、該固定ユニットのフレーム１１と背板の間の照明ユニット２を包含し、該背板１３に上板１４が設けられ、該固定ユニット内側の四周に挟持ストリップ１２が設けられ、該挟持ストリップの断面がＵ字状を呈し、該照明ユニットは該固定ユニットの上板に設けられる反射板２２と、該反射板の少なくとも一側に設けられた回路板２１１と、該回路板に配設されたＬＥＤランプ２１と、該反射板上に設けられて該回路板の間に位置する導光板２３と、該導光板上に設けられた光拡散板２４とを具え、該照明ユニットの反射板、回路板、導光板、光拡散板が該固定ユニット内側四周のＵ字状挟持ストリップの凹口に挟持されて該固定ユニットのフレームと背板の間に固定される。【選択図】図２
0003161908.tif 000002
【実用新案登録請求の範囲】
【請求項１】
LEDシーリングライトにおいて、
固定ユニットであって、フレームと、該フレームの一側に、該フレームと対向するように設けられた背板を包含し、該背板に上板が取付けられ、該固定ユニットの内側四周に挟持ストリップが設けられ、該挟持ストリップの断面はＵ字状を呈する、上記固定ユニットと、
上記固定ユニット内の該フレームと該背板の間に設けられる照明ユニットであって、該照明ユニットは該上述の固定ユニットの該上板に設けられる反射板と、該反射板の少なくとも一側に設けられてLEDランプが配設されて、該LEDランプの発射する光線を該反射板に反射させる回路板と、該反射板上に取付けられて該回路板との間に位置する導光板と、を包含する上記照明ユニットと、を包含したことを特徴とするLEDシーリングライト。
【請求項２】
請求項１記載のLEDシーリングライトにおいて、該導光板上に光拡散板が設けられたことを特徴とするLEDシーリングライト。
【請求項３】
請求項１記載のLEDシーリングライトにおいて、該照明ユニットの該回路板の、該LEDランプが設けられた面と反対の面に、少なくとも一つの放熱ストリップが設けられたことを特徴とするLEDシーリングライト。
【考案の詳細な説明】
【技術分野】
【０００１】
本考案は一種の照明器具の構造に係り、特に一種の、天井に取付けられるLEDシーリングライトに関する。
【背景技術】
【０００２】
現在住宅やオフィスの天井灯の多くは、ペンダントライト或いは蛍光灯内蔵形のシーリングライトとされる。ペンダントライトは占用空間が大きく、一般に２．７メートルの天井高さがない住居ではごちゃついて協調感がなくなる。オフィスのシーリングライトの多くはフレーム式の内蔵式蛍光灯であり、すなわち、金属製のコ形フレーム内に、蛍光灯が取付けられ、フレーム背面或いはフレーム内空間に整流器が固定されている。このような二種類の典型的な照明装置には、電力消費量が大きく、現在の省エネ要求に符合しない。
【０００３】
現在、LEDランプは省エネ特性が突出しているが、シーリングライトの領域には応用されておらず、LEDシーリングライトの開発は省エネ要求に符合する。
【考案の概要】
【考案が解決しようとする課題】
【０００４】
本考案はLED技術をシーリングライト構造に結合させた一種のLEDシーリングライトを提供することを目的としている。
【課題を解決するための手段】
【０００５】
上述の目的を達成するため、本考案の具体的な技術手段は、固定ユニットであって、フレームと、該フレームの一側に、該フレームと対向するように設けられた背板を包含し、該背板に上板が取付けられ、該固定ユニットの内側四周に挟持ストリップが設けられ、該挟持ストリップの断面はＵ字状を呈する、上記固定ユニットと、
上記固定ユニット内の該フレームと該背板の間に設けられる照明ユニットであって、該照明ユニットは該上述の固定ユニットの該上板に設けられる反射板と、該反射板の少なくとも一側に設けられてLEDランプが配設されて、該LEDランプの発射する光線が該反射板に反射される回路板と、該反射板上に取付けられて該回路板との間に位置する導光板と、該導光板上に設けられて該LEDランプが発射して該反射板により反射され該導光板により伝導された光線をさらに拡散させる光拡散板と、を包含する上記照明ユニットと、を包含する。
【０００６】
上述の照明ユニットの反射板、回路板、導光板、光拡散板は該固定ユニット内側四周のＵ字状挟持ストリップの凹口に挟持されることで該固定ユニットの該フレームと該背板の間に固定され、該固定ユニットに該回路板に接続された電源アダプタが設けられる。
【考案の効果】
【０００７】
上述の技術手段により、本考案の達成できる作用効果の具体的表現は以下のとおりである。すなわち、本考案の全体構造は、組立が簡単で、修理の分解組立が容易で、且つ製造コストが低廉で、大量生産に適合する。LEDランプのシーリングライトへの応用により、その輝度を高め、節電率を高め、紫外光、赤外光等の輻射をなくし、ちらつきをなくし、起動を快速とすることができる。
【図面の簡単な説明】
【０００８】
【図１】本考案の立体外観図である。
【図２】本考案の立体分解図である。
【図３】本考案の断面構造図である。
【考案を実施するための形態】
【０００９】
本考案のLEDシーリングライトの構造、その発生する作用効果について、図面を組み合わせて、以下に好ましい実施例を挙げて詳細に説明する。
【００１０】
図１、図２及び図３に示されるように、本考案のLEDシーリングライトは、固定ユニット（1）と照明ユニット（2）を包含する。
【００１１】
該固定ユニット（1）は、フレーム（11）と、該フレーム（11）の一側に、該フレーム（11）と対向するように設けられた背板（13）を包含し、該背板（13）に上板（14）が取付けられ、該固定ユニット（1）の内側四周に挟持ストリップ（12）が設けられ、該挟持ストリップ（12）の断面はＵ字状を呈する。
【００１２】
該照明ユニット（2）は、上記固定ユニット（1）内の該フレーム（11）と該背板（13）の間に設けられる。該照明ユニット（2）は該上述の固定ユニット（1）の該上板（14）に設けられる反射板（22）と、該反射板（22）の少なくとも一側に設けられてLEDランプ（21）が配設されて、該LEDランプ（21）の発射する光線が該反射板（22）に反射される回路板（211）と、該反射板（22）上に取付けられて該回路板（211）との間に位置する導光板（23）と、該導光板（23）上に設けられて該LEDランプ（21）が発射して該反射板（22）により反射され該導光板（23）により伝導された光線をさらに拡散させる光拡散板（24）とを包含する。
【００１３】
上述の照明ユニット（2）の反射板（22）、回路板（211）、導光板（23）、光拡散板（24）は該固定ユニット（1）の内側四周のＵ字状の挟持ストリップ（12）の凹口に挟持されることで該固定ユニット（1）の該フレーム（11）と該背板（13）の間に固定される。該反射板（22）と該上板（14）の間、及び該回路板（211）と挟持ストリップ（12）の間は接着剤（10）で接着される。該固定ユニット（1）に別に電源アダプタ（3）が設けられて、該回路板（211）と電気的に接続される。
【００１４】
上述の照明ユニット（2）の回路板（211）の、LEDランプ（21）が配設された面と反対の面にはさらに少なくとも一つの放熱ストリップ（212）が設けられ、該放熱ストリップ（212）は該回路板（211）及びLEDランプ（21）の放熱を補助する。
【００１５】
該回路板（211）の末端の二つの電極点は導線で電源アダプタ（3）の二つの出力端子と線路が接続され、電源アダプタ（3）の二つの入力端子は外部電源と線路が接続される（図示せず）。両側の回路板(211）には反射ストリップが貼り付けられている（図示せず）。
【００１６】
LEDランプ（21）は直流電源を使用し、ゆえに、電源アダプタ（3）は交流電源を直流電源に変換すると共に、LEDランプ（21）の総出力要求により電流電圧変換を行う。
【００１７】
回路板（211）のプリント回路は、総出力、電流、電圧要求により、直列、並列或いは直列並列混合回路が選択的に設置される。
【００１８】
フレーム（11）は金属板で製造され、反射板（22）はポエチレンテレフタレート(PET)、或いはポリカーボネート(PC)基板が使用され、LEDランプ（21）、導光板（23）から入射される光線を、反射し且つ散乱させ、光拡散板（24）はＰＥＴ基板に透明樹脂に光拡散材料を混合したものをコーティングするか、或いは、ポリカーボネート基板にローラを利用して凹凸のある粗化面を形成してなる。導光板(23）はポリメチルメタクリレート(PMMA)光学アクリル板、純ポリメタクリル酸メチル、すなわち、特殊処理された有機ガラスに、スクリーン印刷を利用し、熱乾性或いはＵＶインク（拡散と反射特性光源特質ＳｉＯ２／ＴｉＯ２）を印刷原料とし、ＬＧＰ反射側に塗布してドットを形成し、ＬＧＰの全反射を破壊し、入射光に拡散特性を発生させて、拡散反射効果を形成し、ＬＧＰ面より均一に射出させる。そのドット配列方式は、疎から密に、小さいものから大きいものへと配列することができる。
【００１９】
導光板(23）は該LEDランプ（21）の光線が該導光板(23）内部を通過する時に、不断に屈折、反射させ、これにより導光板(23）が全体の発光伝導体と見なされ、並びに光拡散板（24）により反射光線はさらに均一に拡散され、ドットの被覆により正面に散乱発射点が出現するのを防止し、こうして最終的にシーリングライトが均一で柔和な光線を射出する。
【００２０】
このほか、本考案の全体構造は、組立が単純で、修理分解組立が容易であり、且つコストが低く、大量生産に適合する。
【００２１】
総合すると、本考案のLEDシーリングライトはその技術内容が完全に実用新案登録の要件に符合する。本考案は産業上、確実に利用でき、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に完成できたものではない。ゆえに、本考案は産業上の利用価値と新規性と進歩性を有する。
【００２２】
本考案は上述の実施例により記述されるが、当業者であれば、その形態と細部については本考案の精神より離脱しないで各種変化が可能であり、上述の実施例は本考案を説明するために提示したものであって、本考案の請求範囲を限定するものではない。
【符号の説明】
【００２３】
１  固定ユニット
１０  接着剤
１１  フレーム
１２  挟持ストリップ
１３  背板
１４  上板
２  照明ユニット
２１  LEDランプ
２１１  回路板
２１２  放熱ストリップ
２２  反射板
２３  導光板
２４  光拡散板
３  電源アダプタ
【図１】
0003161908.tif 000003
【図２】
0003161908.tif 000004
【図３】
0003161908.tif 000005